(57)【要約】【課題】構成を簡略化することができるＣＤＭＡシステムの過負荷試験装置を提供する。【解決手段】本発明のＣＤＭＡシステムの過負荷試験装置１００は、送信装置１０３及び受信装置１０４を具備している。送信装置１０３は、異なる複数の拡散符号を用いて複数のユーザ信号を拡散して複数の拡散ユーザ信号を生成し多重化して多重化ユーザ信号を生成して無線基地局装置１０１に対して送信する。受信装置１０４は、無線基地局装置１０１からの前記多重化ユーザ信号を受信して分離して受信信号を生成し前記複数の拡散符号を用いて逆拡散して複数の逆拡散受信信号を生成する。【選択図】　　　図１
2004088150.tif 000002
【特許請求の範囲】
【請求項１】
異なる複数の拡散符号を用いて複数のユーザ信号を拡散して複数の拡散ユーザ信号を生成し多重化して多重化ユーザ信号を生成して無線基地局装置に対して送信する送信手段と、前記無線基地局装置からの前記多重化ユーザ信号を受信して分離して受信信号を生成し前記複数の拡散符号を用いて逆拡散して複数の逆拡散受信信号を生成する受信手段と、を具備することを特徴とするＣＤＭＡシステムの過負荷試験装置。
【請求項２】
前記送信手段は、前記複数の拡散符号を用いて前記複数のユーザ信号を拡散して複数の拡散ユーザ信号を生成する拡散ユーザ信号生成手段と、前記拡散ユーザ信号生成手段からの前記複数の拡散ユーザ信号を多重化して前記多重化ユーザ信号を生成して送信する多重化送信手段と、を具備し、前記受信手段は、前記無線基地局装置からの前記多重化ユーザ信号を受信して分離して前記受信信号を生成する受信分離手段と、前記受信分離手段からの前記受信信号を前記複数の拡散符号を用いて逆拡散して前記複数の逆拡散受信信号を生成する逆拡散手段と、を具備することを特徴とする請求項１記載のＣＤＭＡシステムの過負荷試験装置。
【請求項３】
前記拡散ユーザ信号生成手段は、前記複数のユーザ信号を生成するユーザ信号生成手段と、前記ユーザ信号生成手段により生成される前記複数のユーザ信号を選択して出力する選択切り替え手段と、前記選択切り替え手段により選択された前記ユーザ信号を処理してディジタルのユーザ信号を生成する複数の送信ディジタル信号処理手段と、前記送信ディジタル信号処理手段からの前記ユーザ信号を複数の拡散符号により拡散して前記拡散ユーザ信号を生成する拡散手段と、を具備することを特徴とする請求項２記載のＣＤＭＡシステムの過負荷試験装置。
【請求項４】
前記送信手段及び前記受信手段における信号を同期させる同期装置を具備することを特徴とする請求項１から請求項３のいずれかに記載のＣＤＭＡシステムの過負荷試験装置。
【請求項５】
前記基地局装置は、前記送信装置からの前記多重化ユーザ信号を受けた時に、前記多重化ユーザ信号の送信先を選択して前記受信装置に前記多重化ユーザ信号を送信する送信先選択手段を具備することを特徴とする請求項１から請求項４のいずれかに記載のＣＤＭＡシステムの過負荷試験装置。
【請求項６】
前記受信手段は、前記逆拡散受信信号の中から所定のものを選択して通信の正常を確認する通信正常確認手段を具備する請求項１から請求項５のいずれかに記載のＣＤＭＡシステムの過負荷試験装置。
【発明の詳細な説明】
【０００１】
【発明の属する技術分野】
本発明は、ＣＤＭＡシステムに用いる無線基地局装置の過負荷動作を試験するためのＣＤＭＡシステムの過負荷試験装置に関するものである。
【０００２】
【従来の技術】
従来のＣＤＭＡシステムの過負荷試験装置は、複数の移動機を組み合わせて、これらの移動機を外部制御部で制御して発着呼タイミングを調整して無線基地局装置の過負荷を実現し、複数の移動機の通信内容が過負荷状態でも無線基地局装置の動作が正常であるか否かを検証している。
【０００３】
【発明が解決しようとする課題】
しかしながら、従来のＣＤＭＡシステムの過負荷試験装置においては、複数の移動機を組み合わせているため、複数の移動機の各々が送受信部からデータの生成部までの機器を具備する必要があるから、ハードウェア規模も大きくなり、かつ、試験における接続系も複数の移動機の数分の接続点が必要となるので複雑となる問題がある。
【０００４】
本発明は、構成を簡略化することができるＣＤＭＡシステムの過負荷試験装置を提供することを目的とする。
【０００５】
【課題を解決するための手段】
本発明のＣＤＭＡシステムの過負荷試験装置は、異なる複数の拡散符号を用いて複数のユーザ信号を拡散して複数の拡散ユーザ信号を生成し多重化して多重化ユーザ信号を生成して無線基地局装置に対して送信する送信手段と、前記無線基地局装置からの前記多重化ユーザ信号を受信して分離して受信信号を生成し前記複数の拡散符号を用いて逆拡散して複数の逆拡散受信信号を生成する受信手段と、を具備する構成を採る。
【０００６】
この構成によれば、１つの送信手段から多重化ユーザ信号を無線基地局装置に送信し、かつ、１つの受信手段が無線基地局装置からの多重化ユーザ信号を受信することにより、無線基地局装置の過負荷における動作の試験を行うことができるため、構成を簡略化することができる。
【０００７】
本発明のＣＤＭＡシステムの過負荷試験装置は、前記構成において、前記送信手段が、前記複数の拡散符号を用いて前記複数のユーザ信号を拡散して複数の拡散ユーザ信号を生成する拡散ユーザ信号生成手段と、前記拡散ユーザ信号生成手段からの前記複数の拡散ユーザ信号を多重化して前記多重化ユーザ信号を生成して送信する多重化送信手段と、を具備し、前記受信手段が、前記無線基地局装置からの前記多重化ユーザ信号を受信して分離して前記受信信号を生成する受信分離手段と、前記受信分離手段からの前記受信信号を前記複数の拡散符号を用いて逆拡散して前記複数の逆拡散受信信号を生成する逆拡散手段と、を具備する構成を採る。
【０００８】
この構成によれば、１つの送信手段から多重化ユーザ信号を無線基地局装置に送信し、かつ、１つの受信手段が無線基地局装置からの多重化ユーザ信号を受信することにより、無線基地局装置の過負荷における動作の試験を行うことができるため、構成を簡略化することができる。
【０００９】
本発明のＣＤＭＡシステムの過負荷試験装置は、前記構成において、前記拡散ユーザ信号生成手段が、前記複数のユーザ信号を生成するユーザ信号生成手段と、前記ユーザ信号生成手段により生成される前記複数のユーザ信号を選択して出力する選択切り替え手段と、前記選択切り替え手段により選択された前記ユーザ信号を処理してディジタルのユーザ信号を生成する複数の送信ディジタル信号処理手段と、前記送信ディジタル信号処理手段からの前記ユーザ信号を前記複数の拡散符号により拡散して前記拡散ユーザ信号を生成する拡散手段と、を具備する構成を採る。
【００１０】
この構成によれば、１つの送信手段から多重化ユーザ信号を無線基地局装置に送信し、かつ、１つの受信手段が無線基地局装置からの多重化ユーザ信号を受信することにより、無線基地局装置の過負荷における動作の試験を行うことができるため、構成を簡略化することができる。
【００１１】
本発明のＣＤＭＡシステムの過負荷試験装置は、前記構成において、前記送信手段及び前記受信手段における信号を同期させる同期装置を具備する構成を採る。
【００１２】
この構成によれば、前記効果に加えて、１つの同期装置を具備するのみでよいから、構成をより簡略化することができる。
【００１３】
本発明のＣＤＭＡシステムの過負荷試験装置は、前記構成において、前記基地局装置が、前記送信装置からの前記多重化ユーザ信号を受けた時に、前記多重化ユーザ信号の送信先を選択して前記受信装置に前記多重化ユーザ信号を送信する送信先選択手段を具備する構成を採る。
【００１４】
この構成によれば、前記効果に加えて、送信装置からの多重化ユーザ信号の送信先を選択して受信装置に多重化ユーザ信号を送信することができる。
【００１５】
本発明のＣＤＭＡシステムの過負荷試験装置は、前記構成において、前記受信手段が、前記逆拡散受信信号の中から所定のものを選択して通信の正常を確認する通信正常確認手段を具備する構成を採る。
【００１６】
この構成によれば、前記効果に加えて、拡散受信信号の中から所定のものを選択して通信の正常を確認することができる。
【００１７】
【発明の実施の形態】
本発明の骨子は、異なる複数の拡散符号を用いて複数のユーザ信号を拡散して複数の拡散ユーザ信号を生成し多重化して多重化ユーザ信号を生成して無線基地局装置に対して送信し、かつ、前記無線基地局装置からの前記多重化ユーザ信号を受信して分離して受信信号を生成し前記複数の拡散符号を用いて逆拡散して複数の逆拡散受信信号を生成することである。
【００１８】
以下、本発明の実施の形態について、図面を参照して説明する。
【００１９】
（実施の形態１）
図１は、本発明の実施の形態１に係るＣＤＭＡシステムの過負荷試験装置の構成を示すブロック図である。
【００２０】
図１に示すように、本発明の実施の形態１に係るＣＤＭＡシステムの過負荷試験装置１００は、無線基地局装置１０１との間で無線により情報の送受を行う。過負荷試験装置１００と無線基地局装置１０１との間で送受信される情報には、双方で多重化ユーザ信号を伝送するために送受信されるプロトコル処理のための制御情報と、この後に伝送する多重化ユーザ信号とがある。無線基地局装置１０１は、無線制御装置１０２に接続されている。無線制御装置１０２は、無線基地局装置１０１の動作を制御する。
【００２１】
過負荷試験装置１００は、送信装置１０３及び受信装置１０４を具備している。送信装置１０３は、無線基地局装置１０１に対して無線信号である多重化ユーザ信号を送信する。受信装置１０４は、無線基地局装置１０１からの無線信号でる多重化ユーザ信号を受信する。
【００２２】
送信装置１０３は、送信部１０５、プロトコル処理部１０６、同期装置１０７及び制御部１０８を具備している。プロトコル処理部１０６、同期装置１０７及び制御部１０８は、送信部１０５に接続されている。プロトコル処理部１０６及び同期装置１０７は、制御部１０８に接続されている。プロトコル処理部１０６は、制御部１０８の指示に従って、発呼タミングや着信応答及び切断処理などの呼処理に関わるタイミング処理などの送信部１０５におけるプロトコル処理を行う。
【００２３】
同期装置１０７は、送信タイミング信号を送信部１０５に与える。制御部１０８は、送信部１０５の各部の制御を行う。また、制御部１０８は、プロトコル処理部１０６に対し発呼などの制御を行う。また、制御部１０８は、同期装置１０７を制御する。
【００２４】
送信部１０５は、ハンドセット部１０９、音声コーデック部１１０、任意パターン発生器１１１、選択切り替え器１１２、送信ディジタル信号処理装置１１３、拡散部１１４及び多重化送信部１１５を具備している。送信ディジタル信号処理装置１１３は、複数の送信ディジタル信号処理部１１３−１〜１１３−ｎからなる。
【００２５】
音声コーデック部１１０の入力端子は、ハンドセット部１０９の出力端子に接続されている。選択切り替え器１１２の入力端子は、音声コーデック部１１０及び任意パターン発生器１１１の出力端子に接続されている。複数の送信ディジタル信号処理部１１３−１〜１１３−ｎの入力端子は、選択切り替え器１１２の出力端子に接続されている。拡散部１１４の入力端子は、複数の送信ディジタル信号処理部１１３−１〜１１３−ｎの出力端子に接続されている。多重化送信部１１５の入力端子は、拡散部１１４の出力端子に接続されている。
【００２６】
ハンドセット部１０９は、音声を受けて電気信号である音声信号を生成する。音声コーデック部１１０は、ハンドセット部１０９からの音声信号を符号化してディジタル符号系列の音声信号を生成する。任意パターン発生器１１０は、制御部１０８からの指示に従って指定されたパターン信号又はＰＮ擬似ランダム符号からなるパターン信号を発生する。選択切り替え器１１２は、音声コーデック部１１０からの音声信号又は任意パターン発生器１１１からのパターン信号を選択しユーザ信号として、複数の送信ディジタル信号処理部１１３−１〜１１３−ｎに与える。
【００２７】
複数の送信ディジタル信号処理部１１３〜１１３−ｎは、選択切り替え器１１２からのユーザ信号を、送信用のディジタルのユーザ信号に変換して拡散部１１４に与える。拡散部１１４は、送信ディジタル信号処理部１１３−１〜１１３−ｎからのユーザ信号を異なる複数の拡散符号により拡散して複数の拡散ユーザ信号を生成して多重化送信部１１５に与える。多重化送信送信部１１５は、拡散部１１４からの複数の拡散ユーザ信号を多重化して多重化ユーザ信号を生成して無線基地局装置１０１に対して送信する。
【００２８】
受信装置１０４は、受信部１１６、プロトコル処理部１０６、同期装置１０７及び制御部１０８を具備している。プロトコル処理部１０６、同期装置１０７及び制御部１０８は、受信部１１５に接続されている。プロトコル処理部１０６は、受信部１１６におけるプロトコル処理を行う。制御部１０８は、受信部１１６の各部の制御を行う。同期装置１０７は、受信タイミング信号を受信部１１６に与える。
【００２９】
受信部１１６は、受信分離部１１７、逆拡散部１１８、受信ディジタル信号処理装置１１９、選択切り替え器１２０、音声再生装置１２１及びビットエラー測定器１２２を具備している。受信ディジタル信号処理装置１１９は、複数の受信ディジタル信号処理部１１９−１〜１１９−ｎからなる。
【００３０】
逆拡散部１１８の入力端子は、受信分離部１１７の出力端子に接続されている。同期装置１０７は、逆拡散部１１８に接続されている。同期装置１０７は、逆拡散部１１８からの信号を受けて送信タイミング及び受信タイミングを生成して送信装置１０３及び受信装置１０４の各部に与える。複数の受信ディジタ信号処理部１１９−１〜１１９−ｎの入力端子は、逆拡散部１１８の出力端子に接続されている。
【００３１】
選択切り替え器１２０の入力端子は、複数の受信ディジタル信号処理部１１９−１〜１１９−ｎの出力端子に接続されている。音声再生装置１２１及びビットエラー測定器１２２の入力端子は、選択切り替え器１２０の出力端子に接続されている。
【００３２】
受信分離部１１７は、無線基地局装置１０１からの多重化ユーザ信号を受信して分離して受信信号を生成し逆拡散部１１８に与える。逆拡散部１１８は、受信分離部１１７からの受信信号を前記複数の拡散符号を用いて逆拡散して複数の逆拡散受信信号を生成して複数の受信ディジタル信号処理部１１９−１〜１１９−ｎに与える。
【００３３】
複数の受信ディジタル信号処理部１１９−１〜１１９−ｎは、逆拡散部１１８からのディジタルの逆拡散受信信号をアナログの逆拡散受信信号に変換する処理を行って、アナログの逆拡散受信信号を選択切り替え器１２０に与える。選択切り替え器１２０は、複数の受信ディジタル信号処理部１１９−１〜１１９−ｎからアナログの逆拡散受信信号を受け、制御部１０８の指示に従って、音声再生装置１２１又はビットエラー測定器１２２のいずれかにアナログの逆拡散受信信号を与える。
【００３４】
音声再生装置１２１は、ハンドセット部１０９からの音声信号に対応したアナログの逆拡散受信信号に基づいて音声を再生するものである。ビットエラー測定器１２２は、任意パターン発生器１１１からのパターン信号に対応したアナログの逆拡散受信信号のビットエラーを測定するものである。音声再生装置１２１及びビットエラー測定器１２２は、ユーザ信号の通信の正常を確認する通信正常確認手段を構成している。
【００３５】
本発明の実施の形態１においては、１つの送信装置１０３から多重化ユーザ信号を無線基地局装置１０１に送信し、かつ、１つの受信装置１０４が無線基地局装置１０１からの多重化ユーザ信号を受信することにより、無線基地局装置１０１の過負荷における動作の試験を行うことができるため、構成を簡略化することができる。
【００３６】
（実施の形態２）
次に、本発明の実施の形態２について、図面を参照して詳細に説明する。図２は、本発明の実施の形態２に係るＣＤＭＡシステムの過負荷試験装置の構成を示すブロック図である。本発明の実施の形態２においては、本発明の実施の形態１と同じ構成要素には同じ参照符号が付されている。
【００３７】
図２に示すように、ＣＤＭＡシステムの過負荷試験装置２００は、無線基地局装置１０１との間で無線により情報の送受を行う。過負荷試験装置２００と無線基地局装置１０１との間で送受信される情報には、双方で多重化ユーザ信号を伝送するために送受信されるプロトコル処理のための制御情報と、この後に伝送する多重化ユーザ信号とがある。無線基地局装置１０１は、無線制御装置１０２に接続されている。無線制御装置１０２は、無線基地局装置１０１の動作を制御する。
【００３８】
過負荷試験装置２００は、送信装置１０３及び受信装置１０４を具備している。送信装置１０３は、無線基地局装置１０１に対して無線信号である多重化ユーザ信号を送信する。受信装置１０４は、無線基地局装置１０１からの無線信号でる多重化ユーザ信号を受信する。
【００３９】
本発明の実施の形態２に係るＣＤＭＡシステムの過負荷試験装置２００は、本発明の実施の形態１に係るＣＤＭＡシステムの過負荷試験装置１００において、無線制御装置１０２に送信先選択装置２０１を追加してなるものである。
【００４０】
次に、本発明の実施の形態１と異なる本発明の実施の形態２に係るＣＤＭＡシステムの過負荷試験装置２００の動作について説明する。
【００４１】
送信先選択装置２０１は、基地局装置１０１が送信装置１０３からの多重化ユーザ信号を受けた時に、多重化ユーザ信号の送信先を選択して多重化ユーザ信号を受信装置１０４に送信するものである。
【００４２】
本発明の実施の形態２においては、本発明の実施の形態１の効果に加えて、多重化ユーザ信号の送信先を選択して多重化ユーザ信号を受信装置１０４に送信することができる。
【００４３】
【発明の効果】
以上説明したように、本発明によれば、１つの送信手段から多重化ユーザ信号を無線基地局装置に送信し、かつ、１つの受信手段が無線基地局装置からの多重化ユーザ信号を受信することにより、無線基地局装置の過負荷における動作の試験を行うことができるため、構成を簡略化することができる。
【図面の簡単な説明】
【図１】本発明の実施の形態１に係るＣＤＭＡシステムの過負荷試験装置の構成を示すブロック図
【図２】本発明の実施の形態２に係るＣＤＭＡシステムの過負荷試験装置の構成を示すブロック図
【符号の説明】
１００、２００　ＣＤＭＡシステムの過負荷試験装置
１０１　無線基地局装置
１０２　無線制御装置
１０３　送信装置
１０４　受信装置
１０５　送信部
１０６　プロトコル処理部
１０７　同期装置
１０８　制御部
１０９　ハンドセット部
１１０　音声コーデック部
１１１　任意パターン発生器
１１２　選択切り替え器
１１３　送信ディジタル信号処理装置
１１３−１〜１１３−ｎ　送信ディジタル信号処理部
１１４　拡散部
１１５　多重化送信部
１１６　受信部
１１７　受信分離部
１１８　逆拡散部
１１９　受信ディジタル信号処理装置
１１９−１〜１１９−ｎ　受信ディジタル信号処理部
１２０　選択切り替え器
１２１　音声再生装置
１２２　ビットエラー測定器
２０１　送信先選択装置
【図１】
2004088150.tif 000003
【図２】
2004088150.tif 000004